(57)【要約】【課題】有用な容器を備えた塗布装置を提供すること。【解決手段】  ケーシング１と塗布手段とを備え、そのケージング１の内部に内容物２を収容し、その開放端部を高い粘性を有する密封物３によって封入する。ケーシング１の内部に塗布手段を差し込んで、内容物２を塗布手段へ取り出す。【選択図】図１
0003104821.tif 000002
【実用新案登録請求の範囲】
【請求項１】
内容物を収容した長尺状のケーシングと、塗布部を備えており、
第一の密閉端部と第二の開放端部とを有する長尺状のケーシングの内部の前記第一の密閉端部に近い箇所には内容物を収容しており、
第一端部と第二端部を有する中空チューブの第一端部には塗布部を付設し、
中空チューブの第二端部とその塗布部を前記長尺状のケーシングに差し込むことで、前記長尺状のケーシングの内容物を変位させて中空チューブを経由して塗布部へ詰め込ませることを特徴とする、
容器を備えた塗布装置。
【請求項２】
前記長尺状のケーシングに収容される内容物と、前記第二の開放端部との間には、高い粘性を有する物質を収容して内容物の揮発を防止することを特徴とする、請求項１に記載の容器を備えた塗布装置。
【請求項３】
前記長尺状のケーシングの第一密閉端部に近接する箇所には高い粘性を有する物質を配置し、高い粘性を有する物質によって前記内容物を前記第一の密閉端部より隔離したことを特徴とする、請求項１に記載の容器を備えた塗布装置。
【請求項４】
前記長尺状のケーシング内の高い粘性を有する物質と前記第二の開放端部との間には中空プラグを配置したことを特徴とする、請求項２に記載の容器を備えた塗布装置。
【請求項５】
前記高い粘性を有する物質が前記第一の密閉端部に配置され、それらによって前記内容物を前記第一の密閉端部より隔離したことを特徴とする、請求項２に記載の容器を備えた塗布装置。
【請求項６】
前記の第二の密閉端部が密閉されるとともに、開放機構が配置され、前記長尺状のケーシングの前記第二の密閉端部に近い箇所の開放機構を開放して、中空チューブの第二端部をその塗布部と一緒に前記長尺状のケーシングに差し込むことに伴い、長尺状のケーシング内の内容物を変位させて前記中空チューブを通して塗布部へ詰め込み可能に構成したことを特徴とする、請求項１に記載の容器を備えた塗布装置。
【請求項７】
高い粘性を有する物質を前記内容物の側に配置し、それによってその内容物を前記開放機構より隔離したことを特徴とする、請求項６に記載の容器を備えた塗布装置。
【請求項８】
前記開放機構として着脱可能な蓋を使用することを特徴とする、請求項６に記載の容器を備えた塗布装置。
【請求項９】
前記長尺状のケーシングの第二端部が密閉され、且つ前記の第一と第二の密閉端部との間には開放機構が配置され、且つその長尺状のケーシングの内部であって、前記の第一の密閉端部に近い側に、第一の内容物を収容すると共に、高い粘性を有する物質によって内容物を前記開放機構から隔離し、前記長尺状のケーシングの内部であって、前記第二の密閉端部に近い側に第二の内容物を収容すると共に、高い粘性を有する物質によって内容物を前記開放機構から隔離し、第一端部と第二端部を有する中空チューブの第一の端部に塗布部を付設し、前記開放機構を開放して、何れかのケーシングの端部に中空チューブの第二端部を差し込むことに伴い、長尺状のケーシング内の内容物を変位させて前記中空チューブを通して塗布部へ詰め込み可能に構成したことを特徴とする、請求項１に記載の容器を備えた塗布装置。
【請求項１０】
前記第一の内容物と前記第二の内容物とが同じような物質を採用することを特徴とする、請求項９に記載の容器を備えた塗布装置。
【請求項１１】
前記長尺状のケーシングの第二の端部が密閉され、前記の第一と第二の密閉端部との間には開放機構を設け、長尺状のケーシングの内部であって、前記の第一の密閉端部に近い側に、第一の内容物を収容すると共に、高い粘性を有する物質を介在させて前記長尺状のケーシングの前記第二の密閉端部に近い側に第二の内容物を収容し、前記高い粘性を有する物質を、前記長尺状のケーシングの内部に開放機構に面した位置に収容して前記第一と第二の内容物を隔離し、第一端部と第二端部を有する中空チューブの第一の端部に塗布部を付設し、前記開放機構を開放して何れかの長尺状のケーシングの端部に、中空チューブの第二端部を差し込むことに伴い、長尺状のケーシング内の内容物を変位させて前記中空チューブを通して塗布部へ詰め込み可能に構成したことを特徴とする、請求項１に記載の容器を備えた塗布装置。
【請求項１２】
前記第一の内容物と前記第二の内容物とが同じ物質であることを特徴とする、請求項１１に記載の容器を備えた塗布装置。
【請求項１３】
少なくとも一つの密閉端部を有する長尺状部材を、前記長尺状のケーシング内の第一の密閉端部に当接させて収容し、長尺状のケーシングには、前記長尺状部材に面した位置に開放機構を設け、前記長尺状のケーシングの第二の開放端部には塗布部を付設し、前記長尺状のケーシングの開放機構を開放して露出した前記長尺状部材を押して、長尺状ケーシングの内容物を塗布部へ詰め込み可能に構成したことを特徴とする、請求項１に記載の容器を備えた塗布装置。
【請求項１４】
前記長尺状のケーシングの前記第二の開放端部と、前記内容物との近傍に設けた第一の封止物とによって前記の長尺状のケーシング内の内容物を封止し、前記長尺状のケーシングの第二開放端部に近接する部位に形成した１個または１個以上の孔を通して前記内容物を前記塗布部へ絞り出し可能に構成したことを特徴とする、請求項１３に記載の容器を備えた塗布装置。
【請求項１５】
前記長尺状の部材の密閉端部と前記内容物の間には第二の封止物を配置したことを特徴とする、請求項１４に記載の容器を備えた塗布装置。
【考案の詳細な説明】
【技術分野】
【０００１】
本考案は、小型の容器と塗布装置に係わり、特に小さくて細長く形成される容器に、綿ボール等からなる塗布装置を合せて使用される、容器を備えた塗布装置に関するものである。
【背景技術】
【０００２】
長いチューブ状の小型の容器は、少量のクリームや洗剤や化粧品等の内容物を入れて配布する用途に一般に利用されている。通常の小型の容器の内容物は容器外へ全て放出され難い性質のものが多く、特に粘性の高い内容物がより多く使用されている。そのため、余った内容物はそのまま捨てられるか、ある形式の塗布装置や抽出装置等を用いて余った内容物を取り出すことが一般に行われている。
【０００３】
内容物を全て取り出すための塗布装置としては、分離可能な部材等を使用し、これを容器内に差し込んで内容物の適量を吸収させて取り出して塗布している。また他の塗布装置としては、容器の蓋と一体に塗布装置を形成し、その蓋を取り外すと塗布装置が外部へ露出して、それによって容器の内容物を塗布することも多い。さらに他には、容器と完全に分離した塗布装置を利用している。そのため、前記したそれぞれの塗布装置は全て容器の一部になっていない。
【０００４】
米国特許第５７０２０３５号に開示される「開閉機構を有する細長いチューブ形容器」は、一種の収納容器になっていながら、液体用の塗布装置を備えている。しかしながら、高い粘性を有する内容物の場合は、もっと有効な設計をする必要があり、その改善技術の提案が望まれている。
【考案の開示】
【考案が解決しようとする課題】
【０００５】
本考案の課題は、少量の物質、例えばクリームや洗剤や化粧品等の高い粘性を有する物質等を収容して使用でき、気軽に綺麗さを表す状況下において容易にその内容物を取り出すことができ、内容物を使い切るまでずっと使用できる小型で細長くされる容器を備えた塗布装置を提供することにある。
【課題を解決するための手段】
【０００６】
前記の目的を達成するために、本考案による容器を備えた塗布装置は、細長い容器本体に収容される内容物を開閉機構によって封止し、またはシリコーン・オイル等の高い粘性を有する物質によって封止してもよい。その容器を備えた塗布装置は、小型で細長い容器のことを含む。それには密閉される第一の端部を有し、且つ高い粘性を有する物質によって封止される第二の端部を有し、且つその容器内に差し込まれる塗布装置を有し、その塗布装置をその容器の内部に差し込まれる場合に、その容器内の内容物をその塗布装置に吸い込ませることが出来る。そのため、その塗布装置を取り出すと、内容物をつけたまま、施したい箇所に塗布することができる。また、塗布完了後に、容器と塗布装置を廃棄するようにしてもよい。
【考案の効果】
【０００７】
本考案は、少量の物質、例えばクリームや洗剤や化粧品等の高い粘性を有する物質等を収容して使用できて、気軽に綺麗さを表す状況下において容易にその内容物を取り出すことができて、しかも内容物を使い切るまでずっと使用できる小型で細長くされる容器を備えた塗布装置を提供することができる。
【考案を実施するための最良の形態】
【０００８】
本考案を詳しく説明するために、以下に添付した図面を参照しながら、本考案の優れる実施の形態を詳細的で具体的に説明する。
【０００９】
図１は、本考案に係わる容器を備えた塗布装置の第一の実施の形態である。
この優れた実施の形態においては、その容器を備えた塗布装置には、第一の密閉端部と第二の開放端部を有する長尺状のケーシング１を備えている。その長尺状のケージング１の内部の前記第一の密閉端部に近接する箇所には、例えば、クリームや洗剤や化粧品や他の類の内容物２が収容して封止されている。仮に前記の内容物が揮発性の物質である場合は、シリコーン・オイル等の高い粘性を有する密封物３によってその内容物２を前記第二の開放端部より分離させて、内容物２が揮発するのを防止する。
また、中空チューブ５の第一の端部に塗布部４を付設する。中空チューブ５の第二の端部がその塗布部４と一緒に長尺状のケーシング１の内部に差し込まれる場合に、中空チューブ５が前記長尺状のケーシング１の内部の内容物２を変位させるように作用するために、長尺状のケーシング１の内容物２が中空チューブ５を通じて塗布部４内へ詰め込まれる。
【００１０】
また、図２は容器を備えた塗布装置の第二の実施の形態を示す説明図であり、本実施の形態における容器を備えた塗布装置は、第一の密閉端部と第二の開放端部とを有する長尺状のケーシング１を備えている。その長尺状のケーシング１の内部には、例えば、クリームや洗剤や化粧品や他の類の内容物２等を充填していて、その第一の密閉端部に近い箇所であって、その内容物２とその第一の密閉端部との間には、例えばシリコーン・オイル等の高い粘性を有する物質６によって隔離する。仮にその内容物２が揮発性を有する物質の場合、他の種の例えばシリコーン・オイル等の類の高い粘性を有する密封物３によってその内容物２をその第二の開放端部より隔離して、内容物２の揮発を避ける。
また、中空チューブ５の第一の端部に塗布部４を付設する。前記の中空チューブ５の第二端部がその塗布部４と一緒に前記の長尺状のケーシング１内に差し込まれる場合に、その挿入される中空チューブ５がその長尺状のケーシング１における内容物２を変位させるように作用するので、その長尺状のケーシング１の内容物２が、中空チューブ５を通じて塗布部４へ詰め込まれる。
その第一の密閉端部の近傍に位置する高い粘性を有する物質６が最後に前記中空チューブ５内に入り込む際に、前記長尺状ケーシング１内に残された内容物２が圧迫されて全て中空チューブ５を通じて塗布部４へ詰め込まれる。
【００１１】
図３は、本考案に係わる容器を備えた塗布装置の第三の実施の形態を示す説明図であり、本実施の形態における容器を備えた塗布装置は、第一の密閉端部と第二の密閉端部とを有する長尺状のケーシング１を備えている。前記第二の密閉端部に近い位置には、周方向に沿った形成した浅い切り込みや間欠的な切り込み等による開放機構７を付設している。長尺状のケーシング１の内部には、例えばクリームや洗剤や化粧品や他の類の内容物２が収容されている。それらはその第一の密閉端部に当接している。
また中空チューブ５の第一端部には塗布部４が付設されている。
前記長尺状のケーシング１の第二の密閉端部に近い位置に設けた開放機構７を開放した場合に、前記中空チューブ５の第二端部とその塗布部４が一緒に長尺状のケーシング１内に差し込まれる。その中空チューブ５を差し込むことによって長尺状のケーシング１内の内容物２が変位するため、内容物２は中空チューブ５を通して塗布部４へ詰め込まれることになる。
【００１２】
図４は、本考案の容器を備えた塗布装置の第四の実施の形態を示す説明図であり、本実施の形態における容器を備えた塗布装置には、第一の密閉端部と第二の密閉端部とを有する長尺状のケーシング１を備えている。その第二の密閉端部に近い位置に開放機構７を付設している。長尺状のケーシング１の内部には、例えば、クリームや洗剤や化粧品や他の類の内容物２等を収容している。
仮に内容物２が低い粘性を有する物質ならば、例えばシリコーン・オイル等の高い粘性を有する密封物３によってその内容物２とその第二の密閉端部とを分離させて第一の密閉端部との間で収容することができる。
また、中空チューブ５の第一の端部に塗布部４が付設されている。
前記長尺状のケーシング１の第二密閉端部に近い位置に設けた開放機構７を切り離して開放し、前記中空チューブ５の第二端部と塗布部４とを一緒にその長尺状のケーシング１内に差し込む。すると長尺状のケーシング１内における内容物２がその中空チューブ５の差し込みによって変位して、長尺状のケーシング１の内部の内容物２が、中空チューブ５を通して塗布部４へ詰め込まれることになる。
【００１３】
図５は、容器を備えた塗布装置の第五の実施の形態を示す説明図であり、本実施の形態における容器を備えた塗布装置は、第一の密閉端部と螺旋蓋等を付設している開放機構を備える第二の端部を備えている。長尺状のケーシング１の内部のその第一密閉端部に近い側には、例えば、クリームや洗剤や化粧品や他の類の内容物２等を収容して、スクリューキャップ等の開放機構８により封止されている。
中空チューブ５の第一の端部に塗布部４が付設されている。
前記長尺状のケーシング１の第二密閉端部に近接する開放機構８を開放して、前記中空チューブ５の第二端部をその塗布部４と一緒にその長尺状のケーシング１内に差し込むことにより、長尺状のケーシング１内における内容物２がその中空チューブ５の差し込みによって変位するため、その長尺状のケーシング１の内部の内容物２が中空チューブ５へ進入して塗布部４へ詰め込まれることになる。
【００１４】
また、図６は、容器を備えた塗布装置の第六の実施の形態を示す説明図であり、本実施の形態における容器を備えた塗布装置は、第一の密閉端部と第二の開放端部を有する長尺状のケーシング１を備えている。その長尺状のケーシング１の内部には、例えば、クリームや洗剤や化粧品や他の類の内容物２等が収容されている。仮に内容物２が揮発性を有する物質ならば、例えばシリコーン・オイル等の高い粘性を有する密封物３等によってその内容物２をその第二の開放端部より隔離させてそれらの揮発を防止することができる。
また、前記内容物２に接触する箇所、または高い粘性を有する密封物３を使用した場合は密封物３に接触する箇所に、中心部に孔を有する中空のプラグ９が詰め込まれる。
また、中空チューブ５の第一の端部には塗布部４が付設されている。
中空チューブ５の第二の端部とその塗布部４が一緒に長尺状のケーシング１の内部に差し込むと、中空プラグ９が押し込まれる。そのため、中空プラグ９が長尺状ケーシング１の内壁から内容物２を引き離しながら変位するように圧迫する。その結果、中空プラグ９を通過して中空チューブ５内に取り込まれた内容物２が中空チューブ５を通して塗布部４へ詰め込まれることになる。
【００１５】
図７ａは、容器を備えた塗布装置の第七の実施の形態を示す説明図であり、本実施の形態における容器を備えた塗布装置は、第一の密閉端部と第二の密閉端部を有する長尺状のケーシング１を備えている。その長尺状のケーシング１の第一と第二の密閉端部との間には、開放機構７が配置されている。その長尺状のケーシング１の内部の第一の密閉端部に近い側には、例えば、クリームや洗剤や化粧品や他の類の内容物２が封入され、且つ開放機構７に近い側に例えばシリコーン・オイル等の高い粘性を有する物質３を収容して前記の開放機構７から内容物２を隔離する。
長尺状のケーシング１の内部の第二の密閉端部に近い側には、例えば、クリームや洗剤や化粧品や他の類の内容物１１を収容し、且つ開放機構７に近い側に高い粘性を有する例えばシリコーン・オイル等の物質１０を収容して前記の開放機構７から内容物１１を隔離する。
また、中空チューブ５の第一の端部には塗布部４が付設されている。
開放機構７を開放して長尺状のケーシング１を二分する。その中空チューブ５の第二端部をその塗布部４と一緒に、二分した長尺状のケーシング１の内部に挿入する。長尺状のケーシング１内に中空チューブ５が差し込まれることによって内容物２，１１が変位するため、長尺状のケーシング１の内容物２，１１を、中空チューブ５を通して塗布部４内に詰め込むことができる。
また、長尺状のケーシング１の内部の第一の密閉端部に近い側の内容物２の物質は前記第二の密閉端部に近い側の内容物１１と同じ物質にしてもよいが、相違する組み合わせにしてもよいことは言うまでもないことである。
【００１６】
また、図７ｂは、容器を備えた塗布装置の第八の実施の形態を示す説明図であり、本実施の形態における容器を備えた塗布装置には、第一の密閉端部と第二の密閉端部を有する長尺状のケーシング１を備えている。その長尺状のケーシング１の第一と第二の密閉端部との間には、開放機構７が配置されている。
その長尺状のケーシング１の内部であって、その第一の密閉端部に近い側には、例えば、クリームや洗剤や化粧品や他の類の内容物２等が封入されている。
その長尺状のケーシング１の内部であって、その第二の密閉端部に近い側には内容物１１が封入されている。
開放機構７を設けた長尺状のケーシング１のほぼ中央には、例えばシリコーン・オイル等の高い粘性を有する物質３を収容して、内容物２と１１を隔離する。開放機構７はその高い粘性を有する物質３の中に位置させる。
また、中空チューブ５の第一の端部には塗布部４が付設されている。
長尺状のケーシング１は、前記の開放機構７を開放して二分する。
中空チューブ５の第二端部をその塗布部４と一緒に二分した長尺状のケーシング１のいずれかの端部に挿入する。中空チューブ５の差し込みによって長尺状のケーシング１の内容物２，１１が変位することによって、長尺状のケーシング１の内容物２，１１が中空チューブ５を通して塗布部４内に詰め込まれる。
また、長尺状のケーシング１の内部の第一の密閉端部に近い側の内容物２の物質が前記第二の密閉端部側の内容物１１と同じ物質にしてもよいが、相違する組み合わせにしてもよい。
【００１７】
また、図８は、容器を備えた塗布装置の第九の実施の形態を示す説明図であり、本実施の形態における容器を備えた塗布装置は、第一の密閉端部と第二の開放端部を有する長尺状のケーシング１を備えている。
この長尺状のケーシング１の第二開放端部に近い箇所には、１個または１個以上の小孔１４が形成されている。
長尺状のケーシング１の内部には、少なくとも１個の密閉端部を有する長尺状の部材１２が第一の密閉端部に当接して挿入されている。
前記の長尺状のケーシング１には、長尺状部材１２の位置する箇所に開放機構７が設けられている。
前記長尺状のケーシング１内であって前記長尺状部材１２の密閉端部に近い側には、例えば、クリームや洗剤や化粧品や他の類の内容物２が収容されている。
仮に内容物２が揮発性を有する物質であるなら、シリコーン・オイル等の高い粘性を有する密封物１３によってその物質２を前記の第二の開放の端部より隔離して、内容物２の揮発を防止する。
また、長尺状のケーシング１の第二の開放端部には塗布部４が付設されている。小孔１４の周囲を塗布部４が囲んでいる。
長尺状のケーシング１の前記開放機構７を開放すると、長尺状部材１２の一部が露出する。露出した長尺状部材１２を押し込むことで、長尺状ケーシング１の内容物２を塗布部４へ進入させて詰め込むことができる。
【００１８】
図９は、本考案の容器を備えた塗布装置の第十の実施の形態を示す説明図であり、本実施の形態における容器を備えた塗布装置は、第一の開放端子と第二の開放端子とを有する長尺状のケーシング１を備えている。
長尺状のケーシング１の前記第二の開放端子に近い箇所には１個または１個以上の小孔１４が形成されている。
長尺状のケーシング１の内部には、長尺状の部材１２が第一の密閉端部に当接して挿入されている。長尺状部材１２の端部にはストッパ１５が付設されている。
前記の長尺状のケーシング１には、長尺状部材１２の位置する箇所に開放機構７が設けられている。
前記長尺状のケーシング１内であって、前記長尺状部材１２の端部のストッパ１５に近い側には、例えば、クリームや洗剤や化粧品や他の類の内容物２が収容されている。
内容物２が揮発性を有する物質であるなら、シリコーン・オイルやゴム等の高い粘性を有する密封物１３によってその物質２を前記の第二の開放の端部より隔離して、内容物２の揮発を防止するように処理してもよい。
また、長尺状のケーシング１の第二の開放端部には塗布部４が付設されている。塗布部４は小孔１４の周囲を囲んでいる。
長尺状のケーシング１の前記開放機構７を開放すると、長尺状部材１２の一部が露出する。露出した長尺状部材１２を押し込むことで、ケーシング１の内容物２を前記第二の開放端部へ向けて押し出し、小孔１４を通じて流出させた内容物２を塗布部４へ詰め込むことができる。
【図面の簡単な説明】
【００１９】
【図１】本考案の容器を備えた塗布装置の第一の実施の形態を示す説明図である。
【図２】本考案の容器を備えた塗布装置の第二の実施の形態を示す説明図である。
【図３】本考案の容器を備えた塗布装置の第三の実施の形態を示す説明図である。
【図４】本考案の容器を備えた塗布装置の第四の実施の形態を示す説明図である。
【図５】本考案の容器を備えた塗布装置の第五の実施の形態を示す説明図である。
【図６】本考案の容器を備えた塗布装置の第六の実施の形態を示す説明図である。
【図７ａ】本考案の容器を備えた塗布装置の第七の実施の形態を示す説明図である。
【図７ｂ】本考案の容器を備えた塗布装置の第八の実施の形態を示す説明図である。
【図８】本考案の容器を備えた塗布装置の第九の実施の形態を示す説明図である。
【図９】本考案の容器を備えた塗布装置の第十の実施の形態を示す説明図である。
【符号の説明】
【００２０】
１      長尺状のケーシング
２      内容物
３      高い粘性を有する密封物
４      塗布部
５      中空のチューブ
６      高い粘性を有する物質
７      開放機構
８      開放機構
９      中空プラグ
１０    高い粘性を有する物質
１１    内容物
１２    長尺状部材
１３    高い粘性を有する密封物
１４    小孔
１５    ストッパ
【図１】
0003104821.tif 000003
【図２】
0003104821.tif 000004
【図３】
0003104821.tif 000005
【図４】
0003104821.tif 000006
【図５】
0003104821.tif 000007
【図６】
0003104821.tif 000008
【図７ａ】
0003104821.tif 000009
【図７ｂ】
0003104821.tif 000010
【図８】
0003104821.tif 000011
【図９】
0003104821.tif 000012